(57)【特許請求の範囲】
【請求項１】
細胞部分と血漿部分とを有する血液試料を分離して試験する方法であって、
血液サンプリング移送デバイスを採血セットに接続するステップと、
前記血液サンプリング移送デバイス内に血液サンプルを収集するステップと、
第１回目の電源スイッチを作動させるステップと、
血液サンプルをフィルタ上で振動させて、細胞部分を第１の室内に捕捉させ、血漿部分がフィルタを通過して第２の室に入るようにするステップと、
ついで第２回目の電源スイッチを作動させるステップであって、前記第１回目の電源スイッチを作動させるステップは前記血液サンプルをフィルタ上で振動させ、そして前記第２回目の電源スイッチの作動させるステップは、前記血漿部分を前記第２の室からポイントオブケアデバイスに移動するステップを含む、試験する方法。
【請求項２】
前記フィルタが接線流フィルタである、請求項1に記載の方法。
【発明の詳細な説明】
【技術分野】
【０００１】
本開示は、一般に、脈管アクセスデバイスとの使用に適合されているデバイス、アセンブリ、およびシステムに関する。より詳細には、本開示は、ポイントオブケア（point-of-care）検査実施において使用するために、生物サンプルを採取するのに適合されているデバイス、アセンブリ、およびシステムに関する。
【背景技術】
【０００２】
血液サンプリングは、患者からの少なくとも血液滴の抜出しを含む一般的なヘルスケア手法である。血液サンプルは、一般的に、フィンガスティック（finger stick）、ヒールスティック（heel stick）、または静脈穿刺のいずれかにより、入院患者、在宅治療患者、および救急治療室患者から採られる。また、血液サンプルは、静脈ラインまたは動脈ラインにより患者から採られてもよい。採取されると、血液サンプルは分析されて、例えば化学組成、血液病学、または凝固を含む、医学的に有用な情報を得ることができる。
【０００３】
血液検査は、疾病、ミネラル含有量、薬物有効性、および臓器機能などの、患者の生理学的状態ならびに生化学的状態を判定する。血液検査は、臨床検査室内でまたは患者の身辺でのポイントオブケアで実施されてもよい。ポイントオブケア血液検査実施の一例が、フィンガスティックによる血液の取出しおよび診断カートリッジ内への機械的採血を含む、患者の血糖レベルの定期検査である。その後、診断カートリッジは血液サンプルを分析し、臨床医に患者の血糖レベルの示度数をもたらす。血液ガス電解質レベル、リチウムレベル、およびイオン化カルシウムレベルを分析する他のデバイスが利用可能である。いくつかの他のポイントオブケアデバイスが、急性冠症候群（ＡＣＳ：ａｃｕｔｅ  ｃｏｒｏｎａｒｙ  ｓｙｎｄｒｏｍｅ）および深部静脈血栓症／肺塞栓症（ＤＶＴ／ＰＥ：ｄｅｅｐ  ｖｅｉｎ  ｔｈｒｏｍｂｏｓｉｓ／ｐｕｌｍｏｎａｒｙ  ｅｍｂｏｌｉｓｍ）のマーカを同定する。
【０００４】
ポイントオブケア検査実施およびポイントオブケア診断の急速な進歩にも関わらず、血液サンプリング技術は相対的に不変のままである。血液サンプルは、針もしくはカテーテルアセンブリの近位端に取り付けられている皮下注射針または真空管を使用して抜き取られることが多い。いくつかの場合に、臨床医は、カテーテル内に挿入される針および注射器を使用し、挿入されたカテーテルを通して患者から血液を抜き出して、カテーテルアセンブリから採血する。これらの手法は、通常は採取された血液サンプルが検査実施の前に抜き出される中間デバイスとして、針および真空管を利用する。このように、これらのプロセスは装置集約的（device intensive）であり、血液サンプルを得る、準備する、かつ検査するプロセスにおいて、複数のデバイスを利用する。各付加的デバイスは、検査実施プロセスの時間およびコストを増大させる。
【０００５】
ポイントオブケア検査実施デバイスは、分析のために検査室に血液サンプルを送ることを必要とせずに、血液サンプルが検査されることを可能にする。したがって、ポイントオブケア検査実施システムと共に、容易な、安全な、再現性のある、かつ正確なプロセスを実現するデバイスを作り出すことが望ましい。
【発明の概要】
【０００６】
本開示は、細胞部分と血漿部分とを有する血液サンプルを受容するように適合されている、血液サンプリング移送デバイスなどの生体液サンプリング移送デバイスを提供する。血液サンプルの採取後、血液サンプリング移送デバイスは、血漿部分を細胞部分から分離することができる。分離後、血液サンプリング移送デバイスは、血液サンプルの血漿部分をポイントオブケア検査実施デバイスへ移送することができる。また、本開示の血液サンプリング移送デバイスは、血液サンプルの暴露を低減する閉じたサンプリングおよび移送システムを実現し、サンプル安定剤との血液サンプルの高速混合を実現する。サンプル安定剤は、抗凝固剤、または例えばＲＮＡ、タンパク質検体、もしくは他の要素などの、血液中の特定の要素を保存するように設計されている物質であり得る。血液サンプリング移送デバイスは、血液サンプリング移送デバイスから血液検査実施デバイスへの血漿部分の一部の閉じた移送のために、血液検査実施デバイスと係合可能である。血液検査実施デバイスは血漿部分を受容して、血液サンプルを分析し、検査結果を得るように適合されている。
【０００７】
先行システムを凌ぐ、本開示の血液サンプリング移送デバイスならびに血液分離および検査実施システムの利点のいくつかは、それが血液サンプル暴露を低減する閉じたシステムであること、それがサンプル安定剤との血液サンプルの受動高速混合を実現すること、それが血液サンプルを別個のデバイスに移送することなく、血液サンプルの分離を促進すること、およびそれがポイントオブケア検査実施デバイスへ純粋な血漿を移送することができることである。本開示の血液サンプリング移送デバイスは、遠心分離を用いずに、閉じたシステムにおける統合された採血および血漿生成を可能にする。臨床医は血液サンプルを採取し、分離することができ、次いで、さらなる操作なしで、その血漿部分をポイントオブケア検査実施デバイスへ即刻移送し得る。このことは、血液への暴露のない、血漿の採取およびポイントオブケア検査実施デバイスへの移送を可能にする。さらに、本開示の血液サンプリング移送デバイスは、血液サンプリング移送デバイスの内部でかつ外部機械類を用いずに血液を処理することにより、処理時間を最小限にする。さらに、少量の血液のみを必要とする検査では、それは真空管を用いた採血および血漿分離に関連する無駄を省く。
【０００８】
本発明の実施形態によれば、細胞部分および血漿部分を有する血液サンプルを受容するように適合されている血液サンプリング移送デバイスが、始動部材を有する第１の構成要素と、第１の構成要素に除去可能に接続されている第２の構成要素とを備え、第２の構成要素は、入口ポート；流路；出口ポート、入口ポートと出口ポートとは流路を介して流体連通しており；流路の内部の入口ポートと出口ポートとの間に配設されているフィルタ；入口ポートとフィルタとの間に画定されている第１の室；およびフィルタと出口ポートとの間に画定されている移送室を含み、入口ポートは、始動部材の始動時に血液サンプルを受容するように適合されており、フィルタは、細胞部分を第１の室内に捕捉するようにかつ血漿部分がフィルタを通過して移送室内に入ることを可能にするように適合されている。
【０００９】
一構成では、第１の構成要素は再使用可能な構成要素である。別の構成では、第２の構成要素は使い捨て構成要素である。さらに別の構成では、フィルタは接線流フィルタを備える。一構成では、接線流フィルタはクロスフロー濾過を利用して、血漿部分を細胞部分から分離する。別の構成では、血液サンプリング移送デバイスは、接線流フィルタ上で血液サンプルを振動させる音響焦点要素（acoustic focus element）を含む。さらに別の構成では、入口ポートは、採血デバイスへの接続により血液サンプルを受容するように適合されている。一構成では、出口ポートは、移送室からポイントオブケア検査実施デバイスへの血漿部分の一部の閉じた移送のために、ポイントオブケア検査実施デバイスへの接続に適合されている。別の構成では、閉じた移送のために出口ポートがポイントオブケア検査実施デバイスに接続されている状態で、始動部材の始動時に血漿部分は移送室からポイントオブケア検査実施デバイスへ移送される。
【００１０】
本発明の別の実施形態によれば、細胞部分および血漿部分を有する血液サンプルのための、血液分離および検査実施システムなどの生体液分離および検査実施システムが、血液サンプルを受容するように適合されている血液サンプリング移送デバイスを備え、血液サンプリング移送デバイスは、始動部材を有する第１の構成要素と、第１の構成要素に除去可能に接続されている第２の構成要素とを備え、第２の構成要素は、入口ポート；流路；出口ポート、入口ポートと出口ポートとは流路を介して流体連通しており；流路の内部の入口ポートと出口ポートとの間に配設されているフィルタ；入口ポートとフィルタとの間に画定されている第１の室；およびフィルタと出口ポートとの間に画定されている移送室を備え、入口ポートは、始動部材の始動時に血液サンプルを受容するように適合されており、フィルタは、細胞部分を第１の室内に捕捉するようにかつ血漿部分がフィルタを通過して移送室内に入ることを可能にするように適合されており、血液検査実施デバイスは、移送室から血液検査実施デバイスへの血漿部分の一部の閉じた移送のために血液サンプリング移送デバイスの出口ポートを受容するように適合されている受容ポートを有する。
【００１１】
一構成では、閉じた移送のために出口ポートが血液検査実施デバイスに接続された状態で、始動部材の始動時に血漿部分は移送室から血液検査実施デバイスへ移送される。別の構成では、血液検査実施デバイスはポイントオブケア検査実施デバイスを含む。さらに別の構成では、第１の構成要素は再使用可能な構成要素である。一構成では、第２の構成要素は使い捨て構成要素である。別の構成では、フィルタは接線流フィルタを備える。さらに別の構成では、接線流フィルタは、クロスフロー濾過を利用して、血漿部分を細胞部分から分離する。一構成では、血液分離および検査実施システムは、接線流フィルタ上で血液サンプルを振動させる音響焦点要素を含む。別の構成では、入口ポートは、採血デバイスへの接続により血液サンプルを受容するように適合されている。
【００１２】
本発明の別の実施形態によれば、血液サンプルを受容するように適合されている血液サンプリング移送システムが、始動部材を有する再使用可能な構成要素と、再使用可能な構成要素に除去可能に接続可能な第１の使い捨て構成要素であり、第１の入口ポートを有し、第１の入口ポートは始動部材の始動時に血液サンプルを受容するように適合されている、第１の使い捨て構成要素と、再使用可能な構成要素に除去可能に接続可能な第２の使い捨て構成要素であり、第２の入口ポートを有し、第２の入口ポートは始動部材の始動時に血液サンプルを受容するように適合されている、第２の使い捨て構成要素とを備える。
【００１３】
本発明の別の実施形態によれば、細胞部分および血漿部分を有する血液サンプルを受容するように適合されている血液サンプリング移送システムが、始動部材を有する再使用可能な構成要素と、再使用可能な構成要素に除去可能に接続可能な第１の使い捨て構成要素であり、第１の入口ポート；第１の流路；第１の出口ポート、第１の入口ポートと第１の出口ポートとは第１の流路を介して流体連通しており；第１の流路の内部の第１の入口ポートと第１の出口ポートとの間に配設されている第１のフィルタ；第１の入口ポートと第１のフィルタとの間の第１の室；および第１のフィルタと第１の出口ポートとの間の第１の移送室を有し、第１の入口ポートは始動部材の始動時に血液サンプルを受容するように適合されており、第１のフィルタは、細胞部分を第１の室内に捕捉するようにかつ血漿部分が第１のフィルタを通過して第１の移送室内に入ることを可能にするように適合されている、第１の使い捨て構成要素と、再使用可能な構成要素に除去可能に接続可能な第２の使い捨て構成要素であり、第２の入口ポート；第２の流路；第２の出口ポート、第２の入口ポートと第２の出口ポートとは第２の流路を介して流体連通しており；第２の流路の内部の第２の入口ポートと第２の出口ポートとの間に配設されている第２のフィルタ；第２の入口ポートと第２のフィルタとの間の第２の室；および第２のフィルタと第２の出口ポートとの間の第２の移送室を有し、第２の入口ポートは始動部材の始動時に血液サンプルを受容するように適合されており、第２のフィルタは、細胞部分を第２の室内に捕捉するようにかつ血漿部分が第２のフィルタを通過して第２の移送室内に入ることを可能にするように適合されている、第２の使い捨て構成要素とを備える。
【図面の簡単な説明】
【００１４】
本開示の前述のかつ他の特徴および利点ならびにそれらを達成する方法はより明らかになり、本開示自体は、添付図面と併用される、本開示の実施形態の以下の記載を参照することにより、より良く理解されるであろう。
【００１５】
【図１】本発明の実施形態による血液サンプリング移送デバイスの分解斜視図である。
【図２】本発明の実施形態による血液サンプリング移送デバイスの組立斜視図である。
【図３】採血デバイスを伴う、本発明の実施形態による血液サンプリング移送デバイスの斜視図である。
【図４】採血デバイスが血液サンプリング移送デバイスに取り付けられている状態の、本発明の実施形態による血液サンプリング移送デバイスの斜視図である。
【図５】本発明の実施形態による血液サンプリング移送デバイスおよびポイントオブケア検査実施デバイスの斜視図である。
【図６】本発明の実施形態による血液サンプリング移送デバイスの上面図である。
【図７】本発明の実施形態による血液サンプリング移送デバイスの第１の構成要素の内部の概略図である。
【図８】フィルタが血液サンプルの血漿部分を血液サンプルの細胞部分から分離している状態の、本発明の実施形態による血液サンプリング移送デバイスのフィルタの横断面図である。
【図９】本発明の実施形態による血液サンプリング移送デバイスの側面立面図である。
【図１０】第１の構成要素が第２の構成要素から除去されている状態の、本発明の実施形態による血液サンプリング移送デバイスの斜視図である。
【図１１】本発明の実施形態による血液サンプリング移送システムの分解斜視図である。
【図１２】セプタムが閉位置にある状態の、本発明の実施形態による血液サンプリング移送デバイスのセプタムの横断面図である。
【図１３】セプタムが開位置にある状態の、本発明の実施形態による血液サンプリング移送デバイスのセプタムの横断面図である。
【発明を実施するための形態】
【００１６】
対応する参照文字が、いくつかの図を通じて対応する部分を示す。本明細書に記載されている例示は本開示の例示的実施形態を説明しており、そのような例示は、いかなる形にしろ、本開示の範囲を限定しているとみなされるべきではない。
【００１７】
以下の記載は、本発明を実施するために検討されている、記載されている実施形態を、当業者が作製し、使用することを可能にするために与えられている。しかし、種々の修正形態、等価物、変形形態、および代替案が、当業者には依然として容易に明らかであろう。ありとあらゆるそのような修正形態、変形形態、等価物、および代替案は、本発明の精神および範囲内に入ることが意図されている。
【００１８】
以下の記載の目的のために、用語「上（部／方）の」、「下（部／方）の」、「右の」、「左の」、「垂直の」、「水平の」、「最上部の」、「底部の」、「横方向の」、「長手方向の」、およびそれらの派生語は、それが図面において配向されているように、本発明に関連するものとする。しかし、本発明は、反対のことが明記されている場合を除き、代替的な変形形態およびステップ順序を前提とする可能性があることを理解されたい。また、添付の図面に示されておりかつ以下の明細書に記載されている特定のデバイスおよびプロセスは、本発明の例示的実施形態に過ぎないことを理解されたい。したがって、本明細書において開示されている実施形態に関連する特定の寸法および他の物理的特徴が、限定的とみなされるべきではない。
【００１９】
種々のポイントオブケア検査実施デバイスが本技術分野において知られている。そのようなポイントオブケア検査実施デバイスは、検査実施および分析のために、試験紙、スライドガラス、診断カートリッジ、または他の検査実施デバイスを含む。試験紙、スライドガラス、および診断カートリッジは、血液サンプルを受容し、その血液を１または複数の生理学的状態および生化学的状態に関して検査する、ポイントオブケア検査実施デバイスである。カートリッジを基礎とする構造を使用して、分析のためにサンプルを検査室に送ることを必要とせずに、患者のベッドサイドで非常に少量の血液を分析する多数のポイントオブケアデバイスがある。これは、長期的に見れば結果を得ることの時間を節約するが、非常に型にはまった検査室環境と比べて、課題の別の群を生じる。そのような検査実施カートリッジの例が、アボット（Ａｂｂｏｔ）企業グループによるｉ−ＳＴＡＴ（登録商標）検査実施カートリッジを含む。ｉ−ＳＴＡＴ（登録商標）カートリッジなどの検査実施カートリッジは、化学薬品および電解質の存在、血液病学、血液ガス濃度、凝固、または心臓マーカを含む種々の状態に関して検査するのに使用され得る。そのようなカートリッジを使用する検査の結果は臨床医に迅速にもたらされる。
【００２０】
しかし、そのようなポイントオブケア検査実施カートリッジに供給されるサンプルは、現在、開放されたシステムを用いて手作業で採取され、一貫性のない結果の原因となることが多い手作業でポイントオブケア検査実施カートリッジへ移送されるか、またはカートリッジの故障がサンプル採取および検査実施プロセスの繰返しにつながり、それによりポイントオブケア検査実施デバイスの利点を無効にする。したがって、より安全な、再現性のある、より正確な結果をもたらす、サンプルを採取しかつポイントオブケア検査実施デバイスへ移送するシステムに対するニーズが存在する。したがって、本開示のポイントオブケア採取および移送システムが以下に記載される。本開示のシステムは、１）サンプリングおよび移送システムのより閉じたタイプを組み込むこと、２）サンプルの開放暴露を最小限にすること、３）サンプルの質を向上させること、４）全体的な使い易さを向上させること、および５）採取時点でサンプルを分離することにより、ポイントオブケア検査実施デバイスの信頼性を高める。
【００２１】
図１〜図９は、本開示の例示的実施形態を示す。図１〜図９を参照すると、本開示の血液サンプリング移送デバイスなどの生体液サンプリング移送デバイス１０が、細胞部分１４と血漿部分１６とを有する血液サンプル１２を受容するように適合されている。血液サンプル１２の採取後、血液サンプリング移送デバイス１０は、血漿部分１６を細胞部分１４から分離することができる。分離後、血液サンプリング移送デバイス１０は、血液サンプル１２の血漿部分１６をポイントオブケア検査実施デバイスへ移送することができる。また、本開示の血液サンプリング移送デバイス１０は、血液サンプルの暴露を低減する閉じたサンプリングおよび移送システムを実現し、サンプル安定剤との血液サンプルの高速混合を実現する。
【００２２】
図５は、本開示の例示的実施形態を示す。図５を参照すると、本開示の、血液分離および検査実施システムなどの生体液分離および検査実施システム２０が、血液サンプリング移送デバイス１０と、血液サンプリング移送デバイス１０から血液検査実施デバイス２２への血漿部分１６の部分の閉じた移送（図８）のために、血液サンプリング移送デバイス１０と係合可能な血液検査実施デバイスまたはポイントオブケア検査実施デバイス２２とを含む。血液検査実施デバイス２２は、血漿部分１６を受容して、血液サンプルを分析し、検査結果を得るように適合されている。
【００２３】
図１１は、本開示の例示的実施形態を示す。図１１を参照すると、本開示の血液サンプリング移送システム２００が、再使用可能な構成要素３０と、再使用可能な構成要素３０に除去可能に接続可能な第１の使い捨て構成要素２０２と、再使用可能な構成要素３０に除去可能に接続可能な第２の使い捨て構成要素２０４とを含む。
【００２４】
先行システムを凌ぐ、本開示の血液サンプリング移送デバイスおよび血液分離および検査実施システムの利点のいくつかは、それが血液サンプル暴露を低減する閉じたシステムであること、それがサンプル安定剤との血液サンプルの受動高速混合を実現すること、それが血液サンプルを分離デバイスへ移送することなく、血液サンプルの分離を促進すること、およびそれがポイントオブケア検査実施デバイスへ純粋な血漿を移送することができることである。本開示の血液サンプリング移送デバイスは、遠心分離を用いずに、閉じたシステムにおける統合された採血および血漿生成を可能にする。臨床医は血液サンプルを採取し、分離することができ、次いで、さらなる操作なしで、その血漿部分をポイントオブケア検査実施デバイスへ即刻移送し得る。このことは、血液への暴露のない、血漿の採取およびポイントオブケア検査実施デバイスへの移送を可能にする。さらに、本開示の血液サンプリング移送デバイスは、血液サンプリング移送デバイスの内部でかつ外部機械類を用いずに血液を処理することにより、処理時間を最小限にする。さらに、少量の血液のみを必要とする検査では、それは真空管を用いた採血および血漿分離に関連する無駄を省く。
【００２５】
図１〜図９を参照すると、血液サンプリング移送デバイス１０は、第１の構成要素または再使用可能な構成要素３０と、第１の構成要素３０に除去可能に接続可能な第２の構成要素または使い捨て構成要素５０とを含む。血液サンプリング移送デバイス１０は、細胞部分１４と血漿部分１６とを有する血液サンプル１２を受容するように適合されている。
【００２６】
図１〜図７を参照すると、第１の構成要素３０は、一般に、始動部材３２と、内部小型ポンプ３６の対と、論理制御ボード３８と、電源４０と、指示要素４４と、第１の固定部（securement portion）４６と、ハンドル部４８とを含む。一実施形態では、始動部材３２は双方向電源スイッチまたは電源ボタン３４を含む。一実施形態では、電源４０は電池４２を含む。一実施形態では、指示要素４４は着色ＬＥＤを含む。
【００２７】
図１〜図９を参照すると、第２の構成要素５０は、一般に、入口ポート５２と、流入チャネル５６および流出チャネル（exit channel）５８を有する流路５４と、流路５４を介して入口ポート５２と流体連通している流出ポートまたは出口ポート６０と、第１の室６４および第２の室または移送室６６を有する分離室６２と、流路５４の内部の入口ポート５２と出口ポート６０との間に配設されているフィルタ６８と、音響焦点要素７０と、第２の固定部７２とを含む。分離室６２の第１の室６４は入口ポート５２とフィルタ６８との間に画定されている。分離室６２の第２の室６６はフィルタ６８と出口ポート６０との間に画定されている。
【００２８】
第１の構成要素３０と第２の構成要素５０とは共に除去可能に接続可能であり、第１の構成要素３０と第２の構成要素５０との間での著しい相対移動が防止されるようになっている。一実施形態では、第１の構成要素３０と第２の構成要素５０とは、第２の構成要素５０の第２の固定部７２との第１の構成要素３０の第１の固定部４６の係合により、共に除去可能に接続可能である。他の実施形態では、同様の接続機構が使用されていてもよい。例えば、スナップ嵌め係合機構または摩擦嵌め係合機構が使用されていてもよい。血液サンプリング移送デバイス１０の第２の構成要素５０は、その中に血液サンプル１２を受容するように適合されている。血液サンプル１２は細胞部分１４と血漿部分１６とを含んでいてもよい。
【００２９】
第１の構成要素３０と第２の構成要素５０とが接続されている状態で、以下により詳細に検討されている通り、入口ポート５２は、始動部材３２の始動時に血液サンプルを受容するように適合されている。血液サンプルが血液サンプリング移送デバイス１０の内部に受容されている状態で、ポンプ３６は、血液サンプルをフィルタ６８上で前後に振動させる機構をもたらす。ポンプ３６は論理制御ボード３８により制御される。電源４０は始動部材３２に電力を供給する。
【００３０】
図３および図４を参照すると、血液サンプリング移送デバイス１０の入口ポート５２は、採血セットまたは採血デバイス１００に接続されて、血液サンプリング移送デバイス１０内への血液サンプル１２の採取を可能にするように適合されている。入口ポート５２は、針アセンブリまたはＩＶ接続アセンブリなどの分離デバイスとの係合のための大きさに作製されかつそれに適合されていてもよく、したがって、従来知られている係合ための機構を含んでいてもよい。例えば、一実施形態では、入口ポート５２は、それとの取付けのためのそのような別個のデバイスの任意選択の別個のルアー嵌合い構成要素との係合のためのルアーロック（ｌｕｅｒ  ｌｏｃｋ）またはルアー先端部を含んでいてもよい。例えば、図３および図４を参照すると、採血セット１００は、血液サンプリング移送デバイス１０の入口ポート５２との係合のためのルアー構成要素１０２を含んでいてもよい。このようにして、入口ポート５２は、血液サンプリング移送デバイス１０内への血液サンプルの採取のために、採血セット１００に接続可能である。さらに、また、入口ポート５２と採血セット１００との間の係止係合のための機構が設けられていてもよい。そのようなルアー接続およびルアー係止機構は本技術分野において周知されている。採血セット１００は、針アセンブリ、ＩＶ接続アセンブリ、ＰＩＣＣライン、動脈留置ライン、または同様の採血手段を含んでいてもよい。
【００３１】
また、入口ポート５２は、閉位置と開位置との間で移行可能な再封止可能なセプタムを含んでいてもよい。セプタムが開位置にある状態で、血液サンプル１２が、入口ポート５２を通り流路５４の流入チャネル５６経由で分離室６２の第１の室６４へ流動してもよい。
【００３２】
図８を参照すると、分離室６２は、血液サンプル１２の細胞部分１４が分離室６２の第１の室６４の内部に含まれておりかつ以下に検討されている通り血液サンプル１２の血漿部分１６がフィルタ６８を通過することにより第１の室６４を出て第２の室または移送室６６へ行くことができるように封止されている。血液サンプル１２の血漿部分１６はフィルタ６８を通過することができる。
【００３３】
また、血液サンプリング移送デバイス１０の第２の構成要素５０は、音響焦点要素７０と、出口ポート６０にバルブまたはセプタム８６（図１２および図１３）を含んでいてもよい。以下により詳細に記載されている通り、出口ポート６０は、血液サンプリング移送デバイス１０から出口ポート６０を介してポイントオブケア検査実施デバイス２２への血漿部分１６の部分の閉じた移送のために、ポイントオブケア検査実施デバイス２２への接続に適合されている。図８を参照すると、出口ポート６０は、第２の室または移送室６６と流体連通している。出口ポート６０のバルブまたはセプタム８６は閉位置と開位置との間で移行可能である。バルブまたはセプタム８６が開位置にある状態で（図１３）、血液サンプル１２の血漿部分１６は、出口ポート６０を通って血液検査実施デバイスまたはポイントオブケア検査実施デバイス２２（図５）へ流動し得る。
【００３４】
一実施形態では、音響焦点要素７０は第２の構成要素５０の内部に配設されており、図８に示されている通り、フィルタ６８上で血液サンプル１２を振動させる。音響焦点要素７０は、フィルタ６８を通過する前に、分離室６２およびフィルタ６８の中心へ赤血球を集めてもよい。
【００３５】
一実施形態では、また、流路５４または入口ポート５２の部分がサンプル安定剤の層を含んでいてもよい。サンプル安定剤は、抗凝固剤、または例えばＲＮＡ、タンパク質検体、もしくは他の要素などの、血液中の特定の要素を保存するように設計されている物質であり得る。一実施形態では、サンプル安定剤の層はフィルタ６８上に配設されていてもよい。他の実施形態では、サンプル安定剤の層は入口ポート５２とフィルタ６８との間のどこかに配置されていてもよい。このようにして、血液サンプル１２が入口ポート５２を通って分離室６２の第１の室６４内へ流動する際、血液サンプリング移送デバイス１０は、サンプル安定剤との血液サンプル１２の受動高速混合を実現する。
【００３６】
図８に示されている通り、血液サンプリング移送デバイス１０の第２の構成要素５０は、第１の室６４と第２の室６６との間に配設されているフィルタ６８を含む。図８に示されている通り、フィルタ６８は、血液サンプル１２の細胞部分１４を第１の室６４の内部に捕捉するようにかつ血液サンプル１２の血漿部分１６がフィルタ６８を通過し第２の室６６へ行くことを可能にするように適合されている。一実施形態では、フィルタ６８は接線流フィルタを含む。接線流フィルタはクロスフロー濾過を利用して、血漿部分１６を細胞部分１４から分離する。
【００３７】
一実施形態では、フィルタ６８は、市販の中空繊維薄膜フィルタ、または市販の飛跡エッチフィルタなどの平膜フィルタのどちらかであってもよい。薄膜フィルタの細孔径および多孔性は、効率的な方法でのきれいな（すなわち赤血球のない、白血球のない、かつ血小板のない）血漿の分離を最適にするように選択され得る。別の実施形態では、フィルタ６８は側方流薄膜を含む。他の実施形態では、フィルタ６８は、血液サンプル１２の細胞部分１４を第１の室６４の内部に捕捉することができかつ血液サンプル１２の血漿部分１６がフィルタ６８を通過して第２の室６６へ行くことを可能にすることができる任意のフィルタを備えていてもよい。
【００３８】
図５を参照すると、血液検査実施デバイスまたはポイントオブケア検査実施デバイス２２は、血液サンプリング移送デバイス１０の出口ポート６０を受容するように適合されている受容ポート２４を含む。血液検査実施デバイス２２は、血液サンプリング移送デバイス１０から血液検査実施デバイス２２への血漿部分１６の部分の閉じた移送（図８）のために、血液サンプリング移送デバイス１０の出口ポート６０を受容するように適合されている。血液検査実施デバイス２２は、血漿部分１６を受容して、血液サンプルを分析し、検査結果を得るように適合されている。
【００３９】
前段で検討されている通り、血液サンプリング移送デバイス１０の出口ポート６０は、閉位置と開位置との間で移行可能なバルブまたはセプタム８６を含んでいてもよい。バルブまたはセプタム８６が開位置にある状態で（図１３）、血液サンプル１２の血漿部分１６は、出口ポート６０を通って血液検査実施デバイスまたはポイントオブケア検査実施デバイス２２（図５）へ流動し得る。
【００４０】
一実施形態では、図１２および図１３を参照すると、バルブ８６は、一般に、移送チャネル９０と、ベローまたは変形可能な壁部材９２と、第１の障壁９６および第２の障壁９８を有するセプタムまたは障壁９４とを含んでいてもよい。図１２を参照すると、バルブ８６は閉位置にあって、血液サンプル１２の血漿部分１６が出口ポート６０を通って流動しないようにする。このようにして、血漿部分１６は血液サンプリング移送デバイス１０の内部に封止される。図１３を参照すると、バルブ８６は、血液サンプル１２の血漿部分１６が出口ポート６０を通って血液検査実施デバイスまたはポイントオブケア検査実施デバイス２２（図５）へ流動し得るように、開位置にある。
【００４１】
図１２を参照すると、血漿部分１６が血液サンプリング移送デバイス１０の移送室６６の内部に受容されている状態で（図８）、血液サンプリング移送デバイス１０の出口ポート６０は、次いで、ポイントオブケア検査実施デバイス２２の受容ポート２４を覆って配置されている。矢印Ｂの方向に押し下げることが、変形可能な壁部材９２を圧縮し、図１２に示されている通り、セプタム９４の第１の障壁９６と第２の障壁９８とを切り開く。バルブ８６が開位置にある状態で、血液サンプル１２の血漿部分１６は、臨床医および患者への暴露を低減する閉じた方法で、出口ポート６０および受容ポート２４を通ってポイントオブケア検査実施デバイス２２へ流動することを可能にされる。
【００４２】
血液サンプリング移送デバイス１０のバルブ８６は、出口ポート６０がポイントオブケア検査実施デバイス２２の受容ポート２４上で押圧された場合にのみ開く。これは、隔離された血漿部分１６を、直接、ポイントオブケア検査実施デバイス２２の受容ポート２４内に解放し、したがって患者の血液への不要な暴露を軽減する。
【００４３】
図１１を参照して、本開示の血液サンプリング移送システム２００がここで検討される。血液サンプリング移送システム２００は、再使用可能な構成要素３０と、再使用可能な構成要素３０に除去可能に接続可能な第１の使い捨て構成要素２０２と、再使用可能な構成要素３０に除去可能に接続可能な第２の使い捨て構成要素２０４とを含む。
【００４４】
以下に検討される通り、使い捨て構成要素５０の使用後、使い捨て構成要素５０は、図１０に示されている通り、第１の構成要素３０から除去されることが可能であり、使い捨て構成要素５０はバイオハザード容器内に廃棄され得る。本開示の血液サンプリング移送システム２００の１つの利点は、複数の使い捨て構成要素５０すなわち第１の使い捨て構成要素２０２および第２の使い捨て構成要素２０４が、再使用可能な構成要素３０と共に使用され得ることである。他の実施形態では、任意の数の使い捨て構成要素が再使用可能な構成要素３０と共に使用され得る。このようにして、始動部材３２を含む再使用可能な構成要素３０は繰り返し使用されることが可能であり、一方、関連する鋭利なものを含む使い捨て構成要素が処分され得る。使い捨て構成要素５０が使用されると、それは、図１０に示されている通り、第１の構成要素３０から除去されることが可能であり、使い捨て構成要素５０はバイオハザード容器内に廃棄され得る。血液サンプリング移送デバイス１０を再度使用することが所望された場合、新しいきれいな使い捨て構成要素が選択され、再使用可能な構成要素３０と共に使用されることが可能である。
【００４５】
図１〜図１０を参照して、本開示の血液サンプリング移送デバイスならびに血液分離および検査実施システムの使用がここで記載される。図３および図４を参照すると、前段で検討されている通り、血液サンプリング移送デバイス１０の入口ポート５２は、採血セット１００に接続されて、血液サンプリング移送デバイス１０内への血液サンプル１２の採取を可能にするように適合されている。採血セット１００が患者に接続されると、第１の構成要素３０の始動部材３２は始動され、例えば電源スイッチ３４が押し下げられ、血液サンプルを第２の構成要素または使い捨て構成要素５０の分離室６２内へ抜き取る。これが起こると、血液サンプル１２はフィルタ６８上で前後に振動される。また、血液サンプル１２が血液サンプリング移送デバイス１０をゆっくり満たすと、それは収集され、サンプル安定剤の層上で安定化される。図８を参照すると、血液サンプル１２の血漿部分１６は、次いで、フィルタ６８を通って流動し、血漿部分１６が細胞部分１４から分離されるようになっている。血漿部分１６はフィルタ６８を通過し、第２の室または移送室６６内に入る。第１の構成要素３０の指示要素４４が作動した、例えば緑色ＬＥＤが作動した、場合、臨床医は採取を止め、移送室６６内に採取されていた血漿部分１６を移送し続けることができる。例えば、次のステップは、血漿部分１６をポイントオブケア検査実施デバイス２２へ移送させることである。
【００４６】
血液サンプリング移送デバイス１０を採血セット１００または他の採血ラインから切断した後、血液サンプリング移送デバイス１０は血液検査実施デバイス２２と係合されてもよい。次に、図５に示されている通り、出口ポート６０はポイントオブケア検査実施デバイス２２の受容ポート２４を覆って配置される。次いで、電源ボタン３４は押下されて、血漿部分１６を前進させ、採取された血漿部分１６をポイントオブケア検査実施デバイス２２へ移送する。血液検査実施デバイス２２は、血液サンプリング移送デバイス１０から血液検査実施デバイス２２への血漿部分１６の部分の閉じた移送のために、血液サンプリング移送デバイス１０の出口ポート６０を受容するように適合されている。血液検査実施デバイス２２は、血漿部分１６を受容して、血液サンプルを分析し、検査結果を得るように適合されている。その後、図１０に示されている通り、使い捨て構成要素５０は第１の構成要素３０から除去されることが可能であり、使い捨て構成要素５０はバイオハザード容器内へ廃棄され得る。
【００４７】
血液サンプリング移送デバイス１０は、有利に、以下のａ）ポイントオブケア検査実施デバイス２２への移送のために細胞部分を迅速に分離してきれいな血漿サンプルにする安全な閉じたシステム、ｂ）細胞部分をフィルタ６８を通して繰り返し再循環させることにより、血漿が効率的に生成されること、ｃ）分離された血漿がセプタム対応出口ポート６０経由でポイントオブケア検査実施デバイス２２へ安全に移送されること、ｄ）搭載された血液入口ポート５２を通して多くの様々な採血モダリティから細胞部分を容易に受け入れることができるシステム、およびｅ）任意選択で、音響焦点要素７０が使用されて、流体通路内の赤血球を流動の中心方向に集めかつフィルタ６８から離し、フィルタ６８における血漿分離の効率性をさらに高めること、を可能にする。
【００４８】
先行システムを凌ぐ、本開示の血液サンプリング移送デバイスならびに血液分離および検査実施システムのその他の利点のいくつかは、それが血液サンプル暴露を低減する閉じたシステムであること、それがサンプル安定剤との血液サンプルの受動高速混合を実現すること、それが血液サンプルを別個のデバイスに移送することなく、血液サンプルの分離を促進すること、およびそれがポイントオブケア検査実施デバイス２２へ純粋な血漿を移送することができることである。本開示の血液サンプリング移送デバイスは、遠心分離を用いずに、閉じたシステムにおける統合された採血および血漿生成を可能にする。臨床医は血液サンプルを採取し、分離することができ、次いで、さらなる操作なしで、その血漿部分をポイントオブケア検査実施デバイス２２へ即刻移送し得る。このことは、血液への暴露のない、血漿の採取およびポイントオブケア検査実施デバイス２２への移送を可能にする。さらに、本開示の血液サンプリング移送デバイスは、血液サンプリング移送デバイスの内部でかつ外部機械類を用いずに血液を処理することにより、処理時間を最小限にする。さらに、少量の血液のみを必要とする検査では、それは真空管を用いた採血および血漿分離に関連する無駄を省く。
【００４９】
例示的設計を有するように本開示が記載されたが、本開示は、本開示の精神および範囲内でさらに修正されることが可能である。したがって、本願は、任意の変形形態、用途、またはその一般的原理を用いる本開示の適合を包含することが意図されている。さらに、本願は、本開示が関連するかつ添付の特許請求の範囲の制限内に入る、本技術分野の既知の、または慣例的な実践の範囲内に入る、本開示からのそのような逸脱を包含することが意図されている。
【図１】
0006426777.tif 000002
【図２】
0006426777.tif 000003
【図３】
0006426777.tif 000004
【図４】
0006426777.tif 000005
【図５】
0006426777.tif 000006
【図６】
0006426777.tif 000007
【図７】
0006426777.tif 000008
【図８】
0006426777.tif 000009
【図９】
0006426777.tif 000010
【図１０】
0006426777.tif 000011
【図１１】
0006426777.tif 000012
【図１２】
0006426777.tif 000013
【図１３】
0006426777.tif 000014